(57)【要約】【課題】  使用時は大画面で見ることができ、運搬時はコンパクトになる表示記録媒体を提供する。【解決手段】  第１の表示記録部１０および第２の表示記録部２０は、画像書込装置による電圧の印加と光の照射によって書き込まれた画像を表示することができる。この第１の表示記録部１０と第２の表示記録部２０を並設し、その同一面に２枚分の大きさを有するカバーシート２を貼着し、第１の表示記録部１０と第２の表示記録部２０を連結して一体化する。これにより、１枚の大きな表示記録媒体１が形成される。【選択図】        図１
2005266142.tif 000002
【特許請求の範囲】
【請求項１】
書込装置により書き込まれた画像を無電源で保持可能な複数の表示記録部と、
前記複数の表示記録部を折り畳み可能に接続する接続部とを備えたことを特徴とする表示記録媒体。
【請求項２】
電圧の印加と光の照射によって書き込まれた画像を表示する複数の表示記録部と、
前記複数の表示記録部を折り畳み可能に接続する接続部とを備えたことを特徴とする表示記録媒体。
【請求項３】
前記接続部は、可撓性を有する材料からなることを特徴とする請求項１又は２記載の表示記録媒体。
【請求項４】
前記接続部は、ミシン目，薄肉部等を有することにより可撓性を有することを特徴とする請求項１又は２記載の表示記録媒体。
【請求項５】
前記複数の表示記録部は、一対の表示記録部であることを特徴とする請求項１又は２記載の表示記録媒体。
【請求項６】
前記接続部は、前記一対の表示記録部の前記画像の表示領域が、展開状態では同一面側に位置し、折り畳んだ状態では互いに対向するように前記一対の表示記録部を接続することを特徴とする請求項５記載の表示記録媒体。
【請求項７】
前記接続部は、前記一対の表示記録部の前記表示領域に貼着され、少なくとも前記表示領域に対応する部分に透光性を有するシートであることを特徴とする請求項６記載の表示記録媒体。
【請求項８】
前記接続部は、前記一対の表示記録部の前記表示領域が設けられた面であって、前記表示領域以外の部分に貼着された連結部材であることを特徴とする請求項６記載の表示記録媒体。
【請求項９】
前記接続部は、前記一対の表示記録部の前記表示領域が設けられた面と反対の面に貼着された連結部材であることを特徴とする請求項６記載の表示記録媒体。
【請求項１０】
前記連結部材は、蛇腹部分を有することを特徴とする請求項９記載の表示記録媒体。
【請求項１１】
前記接続部は、前記一対の表示記録部の両面に貼着され、少なくとも前記画像の書込領域および前記表示領域に対応する部分に透光性を有する一対のシートであることを特徴とする請求項６記載の表示記録媒体。
【請求項１２】
前記一対のシートは、４辺が封止されていることを特徴とする請求項１１記載の表示記録媒体。
【請求項１３】
前記表示記録部は、一対の電極間に液晶層と光導電層を積層してなり、前記一対の電極間に印加される前記電圧を受電する一対の受電部が前記表示領域が設けられている面に設けられたことを特徴とする請求項６記載の表示記録媒体。
【発明の詳細な説明】
【技術分野】
【０００１】
本発明は、書込装置により書き込まれた画像を無電源で保持可能な複数の表示記録部を有する表示記録媒体に関し、特に、使用時は大画面で見ることができ、運搬時はコンパクトになる表示記録媒体に関する。
【背景技術】
【０００２】
近年、表示記録媒体として、紙媒体や電子ディスプレイデバイスの他に、電子ディスプレイの長所と紙の長所を併せ持った電子ペーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのエネルギーを与えるだけで良く、表示を維持するエネルギー印加は不要である。従って、情報の書込後に画像書込装置から表示記録媒体のみを切り離し、紙媒体のように手軽に持ち運んだり、重ねたり、並べたり、手に持って情報を読むことができる。
【０００４】
上記のようなメモリ性を有する表示記録媒体として、電圧の印加と光の照射によって画像が可視的かつ消去自在にメモリされる光書込型表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶からなる液晶層と、光の照射によって抵抗値が変化する光導電層とが積層されたものである。また、その表示記録媒体に画像を書き込む装置は、液晶パネルから２次元的な光パターンを２次元マイクロレンズアレイを介して表示記録媒体の光導電層に結像するように照射し、光導電層に光パターンに基づく抵抗分布を生じさせ、透明電極間に電圧を印加して、光導電層の抵抗分布に基づく分圧分布を液晶層に印加し、分圧分布に応じた画像を液晶層に記録するものである。
【特許文献１】特開２００１−３０１２３３号公報
【発明の開示】
【発明が解決しようとする課題】
【０００６】
しかし、従来の表示記録媒体によると、表示記録媒体は電子ペーパとも呼ばれ、紙と同様に小画面で使用することが考えられていた。このため、全体のサイズを掲示用に大きくし、大画面に対して一括書込みしようとすると、大型な書込装置が必要となり、コスト高を招く。また、大画面のサイズは、運搬に不便であり、規格以上の大きさになると、郵便で送付できなくなる。
【０００７】
従って、本発明の目的は、使用時は大画面で見ることができ、運搬時はコンパクトになる表示記録媒体を提供することにある。
【課題を解決するための手段】
【０００８】
本発明は、上記の目的を達成するため、書込装置により書き込まれた画像を無電源で保持可能な複数の表示記録部と、前記複数の表示記録部を折り畳み可能に接続する接続部とを備えたことを特徴とする表示記録媒体を提供する。
【発明の効果】
【０００９】
本発明の表示記録媒体によれば、複数の表示記録部を折り畳み可能に接続しているので、使用時は大画面で見ることができ、運搬時はコンパクトになる表示記録媒体を提供することができる。
【発明を実施するための最良の形態】
【００１０】
［第１の実施の形態］（表示記録媒体の構成）
図１は、本発明の第１の実施の形態に係る表示記録媒体を示す。同図中、（ａ）は全体構成を示し、（ｂ）は展開状態を示す。この第１の実施の形態に係る表示記録媒体１は、第１の表示記録部１０と、第２の表示記録部２０と、第１および第２の表示記録部１０，２０を折り畳み可能に接続する接続部としてのカバーシート２とを有する。
【００１１】
第１および第２の表示記録部１０，２０は、同一構造であり、片面（裏面１ｂ）に書込表示領域１１，２１を有し、この書込表示領域１１，２１に画像の書込みが行われると共に、書き込まれた画像を肉眼で見ることができる。
【００１２】
第１の表示記録部１０は、一対の受電部１２Ａ，１２Ｂを表面１ａに有し、同様に、第２の表示記録部２０も、一対の受電部２２Ａ，２２Ｂを表面１ａに有している。この受電部１２Ａ，１２Ｂ又は２２Ａ，２２Ｂには、画像書込装置に装着して画像書込みが行われる際、画像書込装置から所定の電圧が印加される。
【００１３】
カバーシート２は、透明性かつ可撓性を有するビニール，軟質プラスチック等をシート状にしたものであり、その片面に設けられた接着剤３を介して所定の間隔で配置された第１および第２の表示記録部１０，２０の片面に貼着されている。ただし、第１の表示記録部１０と第２の表示記録部２０との隙間部分は、連結部４となって上下面が露出するので、この部分には接着剤３を塗布しない。これにより、図１（ｂ）に示す矢印Ｂ方向に折り畳むことができる。
【００１４】
（表示記録部の構成）
図２は、図１の表示記録媒体１のＡ−Ａ線の断面を示す。表示記録部１０は、薄型矩形状を有し、図２の裏面１ｂ側から書込パターン光３０が照射され、更に、画像書込装置の給電端子から受電部１２Ａ，１２Ｂに所定の電圧が印加されることによって画像が書き込まれる。書き込まれた画像は、図２に示す書込パターン光３０の照射方向（眼Ｅの方向）から見ることができる。
【００１５】
表示記録部１０は、対向配置されたＰＥＴ（ポリエチレンテレフタレート）フィルムからなる一対の基板１３Ａ，１３Ｂと、一対の基板１３Ａ，１３Ｂの内側に設けられたＩＴＯ（インジウム錫酸化物）からなる一対の透明電極１４Ａ，１４Ｂと、裏面１ｂ側の透明電極１４Ｂの内側に設けられ、印加電圧に応じて反射率（透過率）が変化するコレステリック液晶からなる液晶層１５と、液晶層１５の内側に設けられ、液晶層１５と光導電層１７とを隔離する透光性を有する隔離層１６と、隔離層１６の内側に設けられ、書込パターン光３０の照射によって抵抗値が小さくなるように、２つの電荷発生層１７ａ，１７ｃ間に電荷輸送層１７ｂを配置して形成された光導電層１７と、光導電層１７の上側に設けられた光吸収層１８と、透明電極１４Ｂから延在して設けられた延在部１９とを備えて構成され、基板１３Ｂの表面１ａにはカバーシート２が貼着されている。
【００１６】
延在部１９の上端には受電部１２Ａが確保され、透明電極１４Ａの端部（図２の右側端）には受電部１２Ｂが確保されている。受電部１２Ａ，１２Ｂは、基板１３Ａに設けられた開口２５Ａ，２５Ｂを通して露出している。
【００１７】
（画像書込装置の構成）
図３は、第１の実施の形態に係る表示記録媒体１０，２０に画像書込みを行うための画像書込装置の構成を示す。この画像書込装置１００は、本体部を成すとともに上面に光出射面１１１を有する下部筐体１１０と、この下部筐体１１０上に設置される上部筐体１３０とを備えて構成されている。
【００１８】
下部筐体１１０は、ＬＣＤ（液晶ディスプレィ）パネル１１３およびバックライト１１４を備える書込部１１２とを備える。また、上部筐体１３０は、電磁ソレノイド１３２Ａ，１３２Ｂおよび押圧板１３３を備える媒体押付け部１３１と、開口１３４とを備える。
【００１９】
書込部１１２は、バックライト１１４により背面から照明されているＬＣＤパネル１１３に対し、画像データに基づいた画像を表示させ、この表示画像を画像書込位置に搬入された表示記録媒体１に書込みを行う。
【００２０】
なお、書込部１１２は、第１および第２の表示記録部１０，２０に同時に書込みできる構成であっても、一つずつ書き込む構成であってもよい。書込部１１２の構成に応じて、第１および第２の表示記録部１０，２０への書込みが同時に又は１枚ずつ実施される。
【００２１】
下部筐体１１０と上部筐体１３０の間には、表示記録媒体１を挿入するための挿入口１５１と、挿入された表示記録媒体１を介在させる空間１５２が形成されている。
【００２２】
媒体押付け部１３１は、画像書込位置に搬入された表示記録媒体１を下部筐体１１０の上面に押圧するために用いられる。図３の様に、媒体押付け部１３１は、上部筐体１３０の中央に形成された開口１３４から出没可能に設けられており、押圧板１３３によって表示記録媒体１を下方に押圧する。電磁ソレノイド１３２Ａ，１３２Ｂは、押圧板１３３を下方へ押し下げ、表示記録媒体１をＬＣＤパネル１１３の光出射面１１１に密着させる。
【００２３】
（書込み動作）
次に、図１の表示記録媒体１を図３の画像書込装置１００に装填したときの書込み動作を説明する。図３のように、ユーザによって、表示記録媒体１が挿入口１５１に正しい向き（表面１ａが表で、表示記録部の短辺が搬送方向に平行な方向）で挿入されると、図示せぬ搬送ローラが回転し、表示記録媒体１は書込位置へ搬送される。表示記録媒体１がセット位置から奥へ搬送され、先端が所定位置に到達すると、表示記録媒体１の搬送が停止する。
【００２４】
ついで、媒体押付け部１３１の電磁ソレノイド１３２Ａ，１３２Ｂが駆動され、押圧板１３３を押し下げ、表示記録媒体１の裏面１ｂをＬＣＤパネル１１３の光出射面１１１に密着させる。押圧板１３３によって表示記録媒体１が押圧されると、図示せぬ一対の給電端子が表示記録媒体１の受電部１２Ａ，１２Ｂに圧接状態で接触する。
【００２５】
一対の給電端子と受電部１２Ａ，１２Ｂとが接触することにより、表示記録媒体１の一対の透明電極１４Ａ，１４Ｂ間に電圧が印加される。この状態下で書込部１１２が動作すると、表示記録媒体１への画像書込みが行われる。
【００２６】
書込部１１２は、バックライト１１４を点灯させ、図示しないパルス電源部から前記一対の給電端子を介して表示記録媒体１の一対の透明電極１４Ａ，１４Ｂ間にパルス電圧が印加されるとともに、画像データに基づく駆動信号がＬＣＤパネル１１３に出力される。ＬＣＤパネル１１３は、画像信号に基づいて制御部から送信された駆動信号により書込パターン光３０を表示記録媒体１の裏面１ｂから照射する。
【００２７】
書込パターン光３０は、表示記録媒体１の裏面１ｂ側の基板１３Ｂ、透明電極１４Ｂ、液晶層１５および隔離層１６を通して光導電層１７に照射される。光導電層１７は、書込パターン光３０が照射されると抵抗値が小さくなり、それにより、光導電層１７とのインピーダンス比で決まる液晶層１５の分圧が増加し、液晶層１５における光反射率が大きくなる。従って、表示記録媒体１の書込表示領域１１，２１を裏面１ｂから見た場合、書込パターン光３０が照射された領域は、液晶層１５で反射して白く見え、書込パターン光３０が照射されていない領域は液晶層１５を通過して光吸収層１８で吸収されるため、黒く見える。これにより、可視像として見ることが可能な画像が記録される。
【００２８】
表示記録媒体１への画像の書込みが終了すると、媒体押付け部１３１が駆動され、押圧板１３３を初期位置に退避させる。ついで、搬送ローラが回転駆動されることにより、表示記録媒体１は排出口１５３から排出され、ユーザは表示記録媒体１を手に取ることができる。
【００２９】
（第１の実施の形態の効果）
この第１の実施の形態によれば、使用時は、表示記録媒体１を展開した状態にすることにより、２つの書込表示領域１１，２１からなる大画面で表示画像を見ることができ、運搬時は、２つの表示記録部１０，２０をカバーシート２により折り畳むことができるので、コンパクトになり、運搬が容易になる他、保管も容易になる。また、表示記録部１０，２０の書込表示領域１１，２１にカバーシート２を貼着しているので、書込表示領域１１，２１の表面に傷等が付き難くなり、第１および第２の表示記録部１０，２０の寿命を延ばすことができる。
【００３０】
なお、連結部４にミシン目を入れたり、連結部４を肉薄にすることにより、可撓性を更に高めることができる。
【００３１】
［第２の実施の形態］
図４は、本発明の第２の実施の形態に係る表示記録媒体を示す。図４において、（ａ）は見開き状態を示し、（ｂ）は（ａ）のＣ−Ｃ線の断面を示している。この第２の実施の形態に係る表示記録媒体１は、第１の実施の形態において、カバーシート２の代わりに帯状の連結部材６１により第１の表示記録部１０と第２の表示記録部２０を連結して、図４（ｂ）に示す矢印Ｂ方向に折り畳み可能に構成したものであり、他は第１の実施の形態と同様に構成されている。
【００３２】
連結部材６１は、ゴム，ビニール，布等の可撓性を有する材料が用いられ、隣接配置された第１の表示記録部１０と第２の表示記録部２０の対向部の上面（裏面１ｂ）の両側に跨がる様にして接着剤等により貼着される。なお、連結部材６１の貼着面は、書込部１１２による画像書込みの際に邪魔にならないようにするため、表面１ａ側に設けてもよい。
【００３３】
（第２の実施の形態の効果）
この第２の実施の形態によれば、第１および第２の表示記録部１０，２０が可撓性を有する連結部材６１で連結されているため、使用時は大画面となり、運搬時はコンパクトになり、運搬や保管が容易になる。
【００３４】
［第３の実施の形態］
図５は、本発明の第３の実施の形態に係る表示記録媒体を示す。この第３の実施の形態に係る表示記録媒体１は、第１の表示記録部１０と第２の表示記録部２０を所定の間隔を設けて配置し、透明なビニール，軟質プラスチック等による接続部としてのカバーシート５１，５２により被覆することにより連結したものであり、図１の表示記録媒体１の両面にカバーシートを設けた構成に相当する。
【００３５】
カバーシート５１は、第１の表示記録部１０と第２の表示記録部２０の一方の面にラミネートされ、カバーシート５２は、他方の面にラミネートされ、両端面は溶着部５３Ａ，５３Ｂ（又は接着部）により封止され、さらに図示せぬ両側辺が同様に溶着又は接着により封止されている。
【００３６】
カバーシート５１，５２間の第１の表示記録部１０および第２の表示記録部２０が介在しない部分は、連結部５４を形成している。この連結部５４を折り曲げ位置にして、図５の（ａ）の状態から第１の表示記録部１０を矢印Ｂ方向に回転すると、図５の（ｂ）のように、第１の表示記録部１０と第２の表示記録部２０を重ね合わせることができる。このとき、外側になるカバーシート５２は、内側になるカバーシート５１に比べて変形量が大きくなるので、予めカバーシート５２に膨出部５５を設けておくのが好ましい。
【００３７】
（第３の実施の形態の効果）
この第３の実施の形態によれば、第１および第２の表示記録部１０，２０が可撓性を有するカバーシート５１，５２によって連結されているため、使用時は大画面となり、運搬時はコンパクトになり、運搬や保管が容易になる。また、第１および第２の表示記録部１０，２０の両面がカバーシート５１，５２によって保護されるため、書込表示領域１１，２１の表面に傷等が付き難くなり、第１および第２の表示記録部１０，２０の寿命を延ばすことができる。特に、書込領域と表示領域がそれぞれ別の面に設けられている場合に適している。
【００３８】
［第４の実施の形態］
図６は、本発明の第４の実施の形態に係る表示記録媒体を示す。同図において、（ａ）は見開き状態を示し、（ｂ）は折り畳み状態を示している。この表示記録媒体１は、第１の表示記録部１０と第２の表示記録部２０の連結を接続部としての連結部材７１により行っている。
【００３９】
この第１および第２の表示記録部１０，２０は、それぞれ、表面１ａに書込パターン光が照射される書込領域１１ａ，２１ａと、裏面１ｂに書き込まれた画像を表示する表示領域１１ｂ，２１ｂを有し、表示領域１１ｂ，２１ｂ側から画像を肉眼で見ることができる。
【００４０】
連結部材７１は、可撓性を有する材料、例えば、ゴム，ビニール等を用いて、複数の折り曲げ部（蛇腹部）を有し、かつ帯状を成す形状に成形加工されている。連結部材７１は、両側の所定範囲に接着剤７２が塗布され、この接着剤７２を介して第１および第２の表示記録部１０，２０の対向部の下面（裏面１ｂ）の両側に貼着される。なお、連結部材７１の貼着面としては、書込部１１２による画像書込の邪魔にならず、また、折り畳み時に厚みを形成しないという理由から、表面１ａ側に設けてもよい。
【００４１】
連結部材７１が外側になるようにして、第１および第２の表示記録部１０，２０を図６の（ａ）に示す矢印Ｂ方向に折り畳むと、図６の（ｂ）に示すように、密着状態にして２枚の表示記録部を重ねることができ、持ち運びや保管がし易くなる。
【００４２】
図７は、図６の表示記録媒体１のＤ−Ｄ線の断面を示す。この第４の実施の形態に係る表示記録媒体１は、対向配置されたＰＥＴフィルムからなる一対の基板１３Ａ，１３Ｂと、この基板１３Ａ，１３Ｂの内側に設けられたＩＴＯからなる一対の透明電極１４Ａ，１４Ｂと、透明電極１４Ａの内側に設けられ、印加電圧に応じて反射率（透過率）が変化するコレステリック液晶からなる液晶層１５と、透明電極１４Ｂの内側に設けられた光導電層１７と、この光導電層１７と液晶層１５との間に設けられた光吸収層１８と、透明電極１４Ｂから延在して設けられた延在部１９とを備えて構成されている。
【００４３】
（第４の実施の形態の効果）
この第４の実施の形態によれば、第１および第２の表示記録部１０，２０が蛇腹からなる連結部材７１で連結されているため、使用時は大画面となり、運搬時はコンパクトになり、運搬や保管が容易になる。また、連結部材７１が蛇腹による複数の折り曲げ部を有するため、破断を生じにくくすることができる。また、折り曲げが容易になる。さらに、ユーザは、画像書込装置１００から排出された表示記録媒体１を裏返しにすることなく、画像内容を確認することができる。
【００４４】
なお、本発明は、上記各実施の形態に限定されず、その要旨を変更しない範囲内で種々な変形が可能である。例えば、各実施の形態間の構成要素の組合せは任意に行うことができる。また、カバーシート２、連結部材６１，７１は、表示記録部１０，２０の表面１ａ側に設けてもよい。
【００４５】
また、カバーシート２、連結部材６１，７１を剥離可能な貼着手段にしておけば、これらを表示記録部１０，２０から剥がすことで、２つの表示記録部１０，２０に簡単に分離することができ、これにより１枚単位の使用が可能になる。
【００４６】
上記した接続部は、工場出荷時に設けることも、或いはユーザが必要とするときに設けることもでき、また、画像書込み後に設けることも可能である。
【００４７】
さらに、金属や硬質プラスチック等からなる一対のホルダに表示記録部１０，２０を差し込む構成にし、一対のホルダを連結部材６１，７１等の可撓性を有する部材によって折り畳み可能に一対のホルダを接続してもよい。
【００４８】
表示記録部としては、上記の他、強誘電液晶に代表されるメモリー性のある液晶や、帯電した粒子を移動させて表示を切り替える電気泳動方式、帯電した粒子を回転させて表示を切り替える粒子回転方式、磁気により粒子を移動させて表示を切り替える磁気泳動方式を用いても良い。
【図面の簡単な説明】
【００４９】
【図１】本発明の第１の実施の形態に係る表示記録媒体を示し、（ａ）は全体構成を示す斜視図、（ｂ）は展開状態を示す正面図である。
【図２】図１の表示記録媒体１のＡ−Ａ線の断面図である。
【図３】本発明の第１の実施の形態に係る表示記録媒体に画像書込みを行うための画像書込装置の構成を示す断面図である。
【図４】本発明の第２の実施の形態に係る表示記録媒体を示し、（ａ）は見開き状態を示す斜視図、（ｂ）は（ａ）のＣ−Ｃ線の断面図である。
【図５】本発明の第３の実施の形態に係る表示記録媒体を示し、（ａ）は展開時の断面図、（ｂ）は折り畳み状態を示す断面図である。
【図６】本発明の第４の実施の形態に係る表示記録媒体を示し、（ａ）は見開き状態を示す斜視図、（ｂ）は折り畳み状態を示す断面図である。
【図７】図６の表示記録媒体のＤ−Ｄ線の断面図である。
【符号の説明】
【００５０】
１  表示記録媒体
１ａ  表面
１ｂ  裏面
２  カバーシート
３  接着剤
４  連結部
１０  第１の表示記録部
１１，２１  書込表示領域
１１ａ，２１ａ  書込領域
１１ｂ，２１ｂ  表示領域
１２Ａ，１２Ｂ，２２Ａ，２２Ｂ  受電部
１３Ａ，１３Ｂ  基板
１４Ａ，１４Ｂ  透明電極
１５  液晶層
１６  隔離層
１７  光導電層
１７ａ，１７ｃ  電荷発生層
１７ｂ  電荷輸送層
１８  光吸収層
１９  延在部
２０  第２の表示記録部
２５Ａ，２５Ｂ  開口
３０  書込パターン光
５１，５２  カバーシート
５３Ａ，５３Ｂ  溶着部
５４  連結部
５５  膨出部
６１，７１  連結部材
７２  接着剤
１００  画像書込装置
１１０  下部筐体
１１１  光出射面
１１２  書込部
１１３  ＬＣＤ（液晶ディスプレィ）パネル
１１４  バックライト
１１５  書込部
１３０  上部筐体
１３１  媒体押付け部
１３２Ａ，１３２Ｂ  電磁ソレノイド
１３３  押圧板
１３４  開口
１５１  挿入口
１５２  空間
１５３  排出口
【図１】
2005266142.tif 000003
【図２】
2005266142.tif 000004
【図３】
2005266142.tif 000005
【図４】
2005266142.tif 000006
【図５】
2005266142.tif 000007
【図６】
2005266142.tif 000008
【図７】
2005266142.tif 000009